(57)【特許請求の範囲】
【請求項１】
少なくとも１個のガイド面（１０１，１０２）を有する円筒形状のガイド領域（１０）と、該ガイド領域（１０）から半径方向に突出する係止領域（１１）とが設けられた装着端部（１）を具え、前記係止領域（１１）が工具の長手方向軸線に対して垂直に延在する係止面（１１１，１１２）を有すると共に、工具の長手方向軸線に対して垂直な面内で非円形断面形状を有するドリル工具を把持するための工具ホルダであって、
該工具ホルダが、開口部（４０）を有する支持体（４）と、該支持体（４）を包囲すると共に、支持体（４）に対して軸線方向に変位可能な把持スリーブ（５）とを具え、支持体（４）における開口部（４０）の断面積を把持スリーブ（５）のドリル方向側端部領域の断面積よりも小として肩部（４１）を形成すると共に、前記開口部（４０）の端部から始まる領域（４０２）における断面積を該開口部（４０）の残部領域（４０１）における断面積よりも大として前記肩部（４１）と協働する肩部（４６）を形成してなる工具ホルダにおいて、
前記支持体（４）の一部をリング（４４）として形成し、該リング（４４）により前記開口部（４０）の端部から始まる前記領域（４０２）を少なくとも部分的に形成すると共に、該リング（４４）を支持体（４）の残余部分に対し、ばね素子（４５）の力に抗してドリル方向とは逆向きに変位可能とし、前記把持スリーブ（５）を前記支持体（４）に対し、ドリル工具を取り外すことができ、しかもドリル工具とシール素子（４３）との間の摩擦を回避することのできる解放位置まで、ばねの力に抗してドリル方向に変位可能とし、該ばねにより、ドリル工具の係止位置においてドリル工具を、前記リング（４４）と共に前記ばね素子（４５）の力に抗しつつ前記シール素子（４３）に対して押圧することを特徴とする工具ホルダ。
【請求項２】
請求項１記載の工具ホルダにおいて、前記リング（４４）は支持体（４）の残余部分に対して円周方向に少なくとも部分的に回動可能であることを特徴とする工具ホルダ。
【請求項３】
請求項１又は２に記載の工具ホルダにおいて、前記リング（４４）に少なくとも１個のクリック素子（７）が配置され、該クリック素子はリング（４４）の外周面から突出して把持スリーブ（５）に形状結合可能であることを特徴とする工具ホルダ。
【請求項４】
請求項１〜３の何れか一項に記載の工具ホルダにおいて、少なくとも一方の作用面（５０）が少なくとも１個の係止素子（５１）を具えることを特徴とする工具ホルダ。
【発明の詳細な説明】
【０００１】
【技術分野】
本発明は、少なくとも１個のガイド面を有する円筒形状のガイド領域と、該ガイド領域から半径方向に突出する係止領域とが設けられた装着端部を具え、前記係止領域が工具の長手方向軸線に対して垂直に延在する係止面を有すると共に、工具の長手方向軸線に対して垂直な面内で非円形断面形状を有するドリル工具を把持するための工具ホルダに係るものである。
【０００２】
【背景技術】
コンクリート、岩石、鋼材等の硬質材料にドリル孔を形成するため、例えば、ドイツ特許出願公開第３７４４０９１号公報に開示されたドリル工具は管状の支持体を具え、この支持体はドリル方向側に位置する端部領域に環状カッターを有すると共にドリル方向とは反対側の端部領域が装着端部とされている。装着端部は、ガイド領域と、ガイド領域から半径方向に突出した係止領域とを有する。係止領域は、ドリル工具を工具ホルダに対して軸線方向で固定するための外周ねじを具える。工具ホルダは、所定範囲内で軸線方向に変位可能な係止スリーブを具え、この係止スリーブには、装着端部の外周ねじに対応する内周ねじが形成されている。ドリル工具を工具ホルダに装着する際に、係止スリーブをねじの締結方向に相対回動させることにより、工具ホルダに対してドリル工具を固定する。このような係止領域は、ねじ加工を必要とするために経済的に製造することができない。
【０００３】
【発明の課題】
本発明の課題は、工具ホルダに対して軸線方向に迅速かつ簡便に装着することができ、しかも経済的に製造可能なドリル工具を、好適に把持し得る工具ホルダを提案することにある。
【０００４】
【課題の解決手段】
この課題を解決するため、本発明は、請求項１に記載した事項を特徴とするものである。先ず、前提条件として、本発明による工具ホルダの把持対象とするドリル工具は、少なくとも１個のガイド面を有する円筒形状のガイド領域と、該ガイド領域から半径方向に突出する係止領域とが設けられた装着端部を具え、前記係止領域が工具の長手方向軸線に対して垂直に延在する係止面を有すると共に、ドリル工具の長手方向軸線に対して垂直な面内で非円形断面形状を有し、前記ガイド領域が、ドリル方向とは反対側で前記係止領域に接続されており、かつ、軸線方向に互いに離間して配置された１対のガイド面を有するものである。
【０００５】
このような構成を有するドリル工具は、係止領域を簡単な構成としたことにより、係止領域の製造コストを大幅に低減することが可能である。
【０００６】
製造技術上の理由から、例えば、係止領域の外周面には少なくとも１個の凹所を設ける。ドリル工具を工具ホルダに装着する際に、工具ホルダに対するドリル工具の煩雑な調整を省略可能とするため、例えば、係止領域の外周面には、係止領域の円周方向に均等に配置された１対の凹所を有する構成とするのが有利である。
【０００７】
上記ドリル工具におけるガイド領域は、ドリル方向とは反対側で係止領域に接続する構成とされている。これにより、ドリル工具の装着端部は、ドリル方向とは逆向きの変位により対応する工具ホルダに係止され、ドリル方向への変位により解除可能となる。
【０００８】
さらに、上記ドリル工具におけるガイド領域には１対のガイド面が互いに離間させて配置されている。これにより、ドリル工具を工具ホルダにより正確にガイドすることが可能である。
【０００９】
少なくとも１個の係止素子を設けることにより、係止位置にある工具ホルダ内におけるドリル工具の自動的な回動を阻止するのが有利であり、この場合に係止素子は少なくとも１個の係止面に配置する。
【００１０】
本発明は、上述した構成のドリル工具を好適に把持する工具ホルダを提案するものである。すなわち、本発明による工具ホルダは、開口部を有する支持体と、該支持体を包囲すると共に、支持体に対して軸線方向に変位可能な把持スリーブとを具え、支持体における開口部の断面積を把持スリーブのドリル方向側端部領域の断面積よりも小として肩部を形成すると共に、前記開口部の端部から始まる領域における断面積を該開口部の残部領域における断面積よりも大として前記肩部と協働する肩部を形成してなる工具ホルダにおいて、前記支持体の一部をリングとして形成し、該リングにより前記開口部の端部から始まる前記領域を少なくとも部分的に形成すると共に、該リングを支持体の残余部分に対し、ばね素子の力に抗してドリル方向とは逆向きに変位可能とし、前記把持スリーブを前記支持体に対し、ドリル工具を取り外すことができ、しかもドリル工具とシール素子との間の摩擦を回避することのできる解放位置まで、ばねの力に抗してドリル方向に変位可能とし、該ばねにより、ドリル工具の係止位置においてドリル工具を、前記リングと共に前記ばね素子の力に抗しつつ前記シール素子に対して押圧することを特徴としている。このような構成の工具ホルダによれば、ドリル工具を工具ホルダに対して迅速に係止することが可能となり、工具ホルダ内におけるドリル工具の正確なガイドが実現されるものである。
【００１１】
ドリル工具に対する所要の係止特性に加えて、特に良好なガイド特性を実現する見地から、本発明に係る工具ホルダの支持体における開口部は、軸線方向に順次に配置した１対の領域により構成されている。その際、開口部の端部から始まる領域における断面積を開口部の残部領域における断面積よりも大として肩部を形成する。
【００１２】
支持体の開口部におけるドリル方向とは反対側の端部領域には、シール素子を配置する。このシール素子は、工具ホルダの係止位置において、ドリル方向とは反対側に向けられたドリル工具の端部と協働する。このドリル工具は、例えば、中空の支持体を有する。工具ホルダ内でドリル工具が回動する際にドリル工具とシール素子との間の摩擦を回避するため、本発明では、支持体の一部をリングとして形成する。このリングは、開口部の端部から始まる領域を少なくとも部分的に形成すると共に、支持体の残余部分に対しては、ばね素子の力に抗してドリル方向とは逆向きに変位可能である。工具ホルダの解放位置において、このリングにおけるドリル工具の係止領域と協働する部分は、支持体の作用面から突出する。したがって、ドリル工具のガイド領域の端部は、工具ホルダ内におけるドリル工具の回動に際して、シール素子とは非接触状態に維持される。
【００１３】
工具ホルダに係止されたドリル工具の装着端部を係止領域の半径方向から支持するため、リングは支持体の残余部分に対して円周方向で少なくとも部分的に回動可能とするのが有利である。
【００１４】
リングに少なくとも１個のクリック素子を配置し、このクリック素子をリングの外周面から突出させて把持スリーブと形状結合可能とすることにより、非係止位置にある工具ホルダに装着されているドリル工具を取り出し位置及び係止位置から自動的に回動可能とするのが有利である。
【００１５】
少なくとも一方の作用面に少なくとも１個の係止素子を具えることにより、係止位置にある工具ホルダに対するドリル工具の回動を阻止するのが有利である。この係止素子は、例えば一方の係止面に設けた凹部若しくは突条、又は一方の作用面に固定可能としたカム部材により構成するのが有利である。この係止素子は、ドリル工具の係止領域に配置した対応する係止素子と形状結合するものである。
【００１６】
【実施の形態】
以下、本発明を図示の好適な実施形態について更に詳述する。
【００１７】
図１及び図２に示したドリル工具は、本発明に係る工具ホルダの把持対象であり、管状の支持体２０を有するドリル部分２を具え、ドリル方向側に位置する前端部にカッターリング２１が設けられ、ドリル方向とは反対側に位置する後端領域では装着端部１に接続されている。装着端部１は、ほぼ円筒形状のガイド領域１０と、ガイド領域１０から半径方向外方に突出する係止領域１１とを有する。ドリル方向とは反対側で係止領域１１に接続されたガイド領域１０は１対のガイド面１０１，１０２を具える。これらのガイド面１０１，１０２は、ガイド領域１０の円周方向に亙って延在すると共に、軸線方向では互いに離間して配置されている。ガイド領域１０は、例えば、直径が互いに相違する１対の大径部分にガイド面１０１，１０２がそれぞれ配置され、直径のより大きな大径部分が係止領域１１に隣接する配置とすることが可能である。
【００１８】
係止領域１１は、ドリル工具の長手方向軸線に対して垂直な面内に延在し、軸線方向で互いに逆向きに配置されて１対の係止面１１１，１１２を具える。すなわち、第１の係止面１１２はドリル方向に向けられ、第２の係止面１１１はドリル方向とは反対側に向けられている。ドリル方向に向けられた係止面１１２は、直径線上で互いにほぼ対向する位置に配置された１対の係止素子１１４を有し、これらの係止素子１１４は、例えば係止領域１１の外周面１１３に開口する１対の凹部として構成されている。
【００１９】
図２に示すように、係止領域１１の断面形状は、互いに対向する１対の弓形セグメントを切除した非円形断面形状とする。図３〜図５に示した本発明に係る工具ホルダは、図１及び図２に示したドリル工具を把持するものである。図３は、装着端部１のガイド領域１０に対応する位置で中央の開口部４０を具える支持体４と、支持体４を包囲する把持スリーブ５とを示している。把持スリーブ５は、例えば、工具（図示せず）を用いて支持体４に対し、ばね（図示せず）の力に抗してドリル方向に変位可能である。開口部４０は、互いに異なる断面形状を有する１対の領域４０１，４０２を、軸線方向に順次に配置してなるものである。この場合、開口部４０のドリル方向側の端部を構成する第２領域４０２は、当該端部から離間した第１領域４０１よりも大きな断面を有する。第１の領域４０１には、ドリル方向とは反対側で後方の貫通孔４２が接続されている。
【００２０】
開口部４０から後方の貫通孔４２までの移行領域には、環状シール素子４３が配置されている。支持体４の一部はリング４４として形成されている。このリング４４は、開口部４０の端部を構成する第２領域４０２を形成すると共に、支持体４の残余部分に対して、ばね素子４５の力に抗してドリル方向とは逆向きに変位可能であり、円周方向では少なくとも部分的に回動可能とされている。第２領域４０２における開口部４０の断面は、少なくとも把持スリーブ５のドリル方向側における端部領域の断面に対応する。工具ホルダの解放位置では、リング４４のドリル方向側における肩部４６が、支持体４における作用面４１からドリル方向に向けて突出する。工具ホルダに装着したドリル工具が回動すると、当接肩部４６はドリル工具の係止面１１１と協働し、ガイド領域１０の遊端はシール素子４３と非接触状態に維持される。支持体４の残余部分に対するリング４４の回動は、当接面（詳細な図示は省略した）とストッパーとにより限定される。その結果、例えば、リング４４は支持体４に対して約９０゜だけ回動可能となる。
【００２１】
リング４４には、その外周面から突出する少なくとも１個のクリック素子７を配置する。クリック素子７は、ばね負荷されたボールを具えるねじロッドとして構成する。クリック素子７は、ドリル工具の係止位置及び解放位置において、把持スリーブ５の内周面における対応する半球状の凹部と協働させる。開口部４０における第２領域４０２の軸線方向の長さは、係止領域１１の長さに対応させる。
【００２２】
把持スリーブ５は、ドリル方向側に位置する端部領域が、中央の貫通孔５２を有する底部として形成されている。この貫通孔５２の断面は、係止領域１１の断面に対応する。把持スリーブ５の貫通孔５２におけるドリル方向とは反対側に向けられた外周領域は、第２作用面５０を形成する。作用面５０から、ドリル方向とは反対側に向けてカム状の係止素子５１が突出する。
【００２３】
図４に示す解放位置において、支持体４の第１作用面４１と、把持スリーブ５の第２作用面５０から突出する係止素子５１との間隔は、ドリル工具の軸線方向における係止領域１１の長さよりも大である。
【００２４】
図５に示す係止位置において、リング４４は、図４における解放位置に対して９０゜だけ回動している。把持スリーブ５における係止素子５１と、係止領域１１の係止素子１１４とは、互いに形状結合している。
【図面の簡単な説明】
【図１】  本発明に係る工具ホルダの把持対象であるドリル工具を示す略図である。
【図２】  図１に示したドリル工具を示す平面図である。
【図３】  本発明による支持リングを具える工具ホルダを簡略化して示す縦断面図である。
【図４】  解放位置における工具ホルダを示す図３のIＶ−ＩＶ線に沿う断面図である。
【図５】  係止位置にある工具ホルダをドリル工具の装着状態で示す断面図である。
【符号の説明】
１  装着端部
２  ドリル部分
４  支持体
５  把持スリーブ
７  ばね素子
１０  ガイド領域
１１  係止領域
２０  管状支持体
２１  カッターリング
４０  開口部
４１  第１作用面
４４  リング
５０  第２作用面
１０１，１０２  ガイド面
１１１，１１２  係止面
１１４  係止素子
【図１】
0004365928.tif 000002
【図２】
0004365928.tif 000003
【図３】
0004365928.tif 000004
【図４】
0004365928.tif 000005
【図５】
0004365928.tif 000006